(57)【要約】      （修正有）【課題】収容しているサンプルについての信頼性を高めることができる採取容器を提供する。【解決手段】容器本体に外蓋部材をしてサンプルを密閉して収容可能な採取容器であって、外蓋部材の開および閉の少なくとも一方を検出する開検出スイッチ３５と、開検出スイッチにより容器本体の開閉が検出される度に、現在時刻および現在位置の情報を取得して記録するＣＰＵ２２と、ＣＰＵが取得した現在時刻および現在位置の情報を複数回分で蓄積して記録可能な不揮発性メモリ２７と、を有する。【選択図】図３
0003223596.tif 000002
【実用新案登録請求の範囲】
【請求項１】
容器本体に蓋部材をしてサンプルを密閉して収容可能な採取容器であって、
前記蓋部材の開および閉の少なくとも一方を検出する第一センサと、
前記第一センサにより前記容器本体の開閉が検出される度に、現在時刻および現在位置の情報を取得して記録する制御部と、
前記制御部が取得した現在時刻および現在位置の情報を複数回分で蓄積して記録可能なメモリと、
を有する、
採取容器。
【請求項２】
前記制御部は、前記容器本体の１回の開閉において、現在時刻および現在位置の情報を１回だけ前記メモリに記録する、
請求項１記載の採取容器。
【請求項３】
前記第一センサ、前記制御部、前記メモリへ電力を供給する電源ユニットと、
前記第一センサにより前記容器本体の開閉が検出される度に前記制御部を起動する起動回路と、を有し、
前記制御部は、前記起動回路により起動される度に、現在時刻および現在位置の情報を取得して前記メモリに記録する、
請求項１または２記載の採取容器。
【請求項４】
前記電源ユニットから電力が供給されることにより動作し、信号波を受信することにより現在時刻および現在位置の情報を取得または生成する受信ユニット、を有し、
前記制御部は、前記起動回路により起動される度に前記受信ユニットを起動し、前記受信ユニットから現在時刻および現在位置の情報を取得する、
請求項３記載の採取容器。
【請求項５】
前記制御部は、前記起動回路により起動されてから予め定められた時間が経過すると、前記受信ユニットから現在時刻および現在位置の情報を取得する、
請求項４記載の採取容器。
【請求項６】
前記第一センサは、前記蓋部材の開を検出し、
前記電源ユニットから電力が供給され、前記蓋部材の閉を検出する第二センサ、を有し、
前記制御部は、前記第二センサにより前記蓋部材の閉が検出されると、現在時刻および現在位置の情報の取得および記録を実行しない休止状態になる、
請求項３から５のいずれか一項記載の採取容器。
【請求項７】
前記制御部は、
前記第一センサによる前記蓋部材の開の検出に基づく現在時刻を、前記メモリに記録し、
前記第二センサによる前記蓋部材の閉の検出に基づく現在時刻を、前記メモリに記録する、
請求項６記載の採取容器。
【請求項８】
前記制御部は、前記第二センサにより前記蓋部材の閉が検出されるタイミングにおいて、現在時刻および現在位置の情報を取得して記録する位置記録処理を実行していない場合、前記位置記録処理を実行してから、休止状態になる、
請求項６または７記載の採取容器。
【請求項９】
前記制御部は、
前記第一センサが前記蓋部材の開を検出してから、予め定められた期間が経過すると、休止状態になる、
請求項６から８のいずれか一項記載の採取容器。
【請求項１０】
前記制御部は、さらに前記電源ユニットの情報を前記メモリに記録する、
請求項１から９のいずれか一項記載の採取容器。
【請求項１１】
前記メモリは、電力が供給されない状態においても記録された複数回分の現在時刻および現在位置の情報を保持可能な不揮発性メモリである、
請求項１から１０のいずれか一項記載の採取容器。
【請求項１２】
前記受信ユニットが起動している場合に点灯するランプ、を有する、
請求項１から１１のいずれか一項記載の採取容器。
【請求項１３】
外部機器との間でデータを送受する外部接続ユニット、を有し、
前記外部接続ユニットは、前記メモリに蓄積して記録されているログデータをまとめて前記外部機器へ出力する、
請求項１から１２のいずれか一項記載の採取容器。
【請求項１４】
前記容器本体は、開口を有するボトルであり、
前記蓋部材は、前記容器本体の開口を塞ぐ外蓋部材と、閉じた状態において前記外蓋部材に密着するように前記外蓋部材と前記容器本体との間に挟み込まれる中蓋部材と、を有し、
前記第一センサおよび前記第二センサの中の少なくとも前記第一センサは、前記外蓋部材についての前記中蓋部材の密着状態により、前記容器本体の開または閉を検出する、
請求項１から１３のいずれか一項記載の採取容器。
【考案の詳細な説明】
【技術分野】
【０００１】
本考案は、採取容器に関する。
【背景技術】
【０００２】
土壌、水質、空気、ガスなどの成分やそれらの汚染を検査する場合、採取容器が用いられる。検査会社の作業者は、採取容器を採取現場へ持ち込み、サンプルを採取容器に入れて会社へ持ち帰る。このような採取容器には、移動中などにおいてサンプルが漏れたり、他の成分が混入したりしないように、たとえば特許文献１にあるように、高い密閉性が要求される。
【先行技術文献】
【特許文献】
【０００３】
【特許文献１】特開２００１−１５３７６０号公報
【特許文献２】特開平１１−０３８１４６号公報
【考案の概要】
【考案が解決しようとする課題】
【０００４】
ところで、土壌、水質、空気、ガスなどのサンプルを採取するために、検査会社の人がすべての採取現場へ行くことは現実的ではない。たとえば海外などの遠隔地へ検査会社の人が行く場合、その旅費も高くなる。
このため、サンプルの成分やそれらの汚染を検査する場合、採取容器のみを現地へ送り、現地の人に採取してもらうことが考えられる。
【０００５】
しかしながら、検査会社の人であれば、採取容器を用いたサンプルの採取について熟知しており、正しい手順でサンプルを採取できる。また、採取の前後においても、採取容器を正しく取り扱うことができる。これに対し、現地の人は、サンプルの採取に不慣れである可能性がある。たとえば適切な地点においてサンプルを採取していなかったり、サンプルの採取の前後において採取容器を開けてしまってサンプルに他の成分を混入させたり、してしまう可能性がある。このようなサンプルを送ってもらっても、検査会社は、サンプルを正しく評価することができない。特許文献２のように、サンプルのホルダに、現地においてバーコードなどにより採取場所を表示していたとしても、その採取場所で正しく採取されたサンプルであるか否かについて確定的な判断をすることが難しい。
【０００６】
このように採取容器では、収容しているサンプルについての信頼性を高めることが求められている。
【課題を解決するための手段】
【０００７】
本考案に係る採取容器は、容器本体に蓋部材をしてサンプルを密閉して収容可能な採取容器であって、前記蓋部材の開および閉の少なくとも一方を検出する第一センサと、前記第一センサにより前記容器本体の開閉が検出される度に、現在時刻および現在位置の情報を取得して記録する制御部と、前記制御部が取得した現在時刻および現在位置の情報を複数回分で蓄積して記録可能なメモリと、を有する。
【０００８】
好適には、前記制御部は、前記容器本体の１回の開閉において、現在時刻および現在位置の情報を１回だけ前記メモリに記録する、とよい。
【０００９】
好適には、前記第一センサ、前記制御部、前記メモリへ電力を供給する電源ユニットと、前記第一センサにより前記容器本体の開閉が検出される度に前記制御部を起動する起動回路と、を有し、前記制御部は、前記起動回路により起動される度に、現在時刻および現在位置の情報を取得して前記メモリに記録する、とよい。
【００１０】
好適には、前記電源ユニットから電力が供給されることにより動作し、信号波を受信することにより現在時刻および現在位置の情報を取得または生成する受信ユニット、を有し、前記制御部は、前記起動回路により起動される度に前記受信ユニットを起動し、前記受信ユニットから現在時刻および現在位置の情報を取得する、とよい。
【００１１】
好適には、前記制御部は、前記起動回路により起動されてから予め定められた時間が経過すると、前記受信ユニットから現在時刻および現在位置の情報を取得する、とよい。
【００１２】
好適には、前記第一センサは、前記蓋部材の開を検出し、前記電源ユニットから電力が供給され、前記蓋部材の閉を検出する第二センサ、を有し、前記制御部は、前記第二センサにより前記蓋部材の閉が検出されると、現在時刻および現在位置の情報の取得および記録を実行しない休止状態になる、とよい。
【００１３】
好適には、前記制御部は、前記第一センサによる前記蓋部材の開の検出に基づく現在時刻を、前記メモリに記録し、前記第二センサによる前記蓋部材の閉の検出に基づく現在時刻を、前記メモリに記録する、とよい。
【００１４】
好適には、前記制御部は、前記第二センサにより前記蓋部材の閉が検出されるタイミングにおいて、現在時刻および現在位置の情報を取得して記録する位置記録処理を実行していない場合、前記位置記録処理を実行してから、休止状態になる、とよい。
【００１５】
好適には、前記制御部は、前記第一センサが前記蓋部材の開を検出してから、予め定められた期間が経過すると、休止状態になる、とよい。
【００１６】
好適には、前記制御部は、さらに前記電源ユニットの情報を前記メモリに記録する、とよい。
【００１７】
好適には、前記メモリは、電力が供給されない状態においても記録された複数回分の現在時刻および現在位置の情報を保持可能な不揮発性メモリである、とよい。
【００１８】
好適には、前記受信ユニットが起動している場合に点灯するランプ、を有する、とよい。
【００１９】
好適には、外部機器との間でデータを送受する外部接続ユニット、を有し、前記外部接続ユニットは、前記メモリに蓄積して記録されているログデータをまとめて前記外部機器へ出力する、とよい。
【００２０】
好適には、前記容器本体は、開口を有するボトルであり、前記蓋部材は、前記容器本体の開口を塞ぐ外蓋部材と、閉じた状態において前記外蓋部材に密着するように前記外蓋部材と前記容器本体との間に挟み込まれる中蓋部材と、を有し、前記第一センサおよび前記第二センサの中の少なくとも前記第一センサは、前記外蓋部材についての前記中蓋部材の密着状態により、前記容器本体の開または閉を検出する、とよい。
【考案の効果】
【００２１】
本考案に係る採取容器は、容器本体に蓋部材をしてサンプルを密閉して収容可能である。
そして、蓋部材の開および閉の少なくとも一方を検出する第一センサと、第一センサにより容器本体の開または閉が検出されると、現在時刻および現在位置の情報を取得して記録する制御部と、制御部が取得した現在時刻および現在位置の情報を複数回分で蓄積して記録可能なメモリと、を有する。よって、採取容器は、サンプルを収容するために蓋部材が開閉されると、それに基づいて自ら自動的に、現在時刻および現在位置の情報を取得してメモリに記録する。したがって、採取容器のサンプルを検査する検査会社は、メモリに記録されている開閉についてのログデータに基づいて、サンプルを採取すべき場所において採取容器が開閉されていることを判断することができる。
しかも、メモリには、蓋部材が開閉される度に、開閉されたタイミングを示す新たな現在時刻および現在位置の情報が蓄積して記録される。蓋部材が複数回で開閉された場合には、メモリには、複数回分の開閉のログデータが記録される。検査会社は、たとえば採取すべき地点ではない場所において採取容器が開閉されたこと、複数回の開閉がなされたことを、ログデータから判断することができる。
このように採取容器は、その複数回分の開閉を、開閉のたびにメモリにログデータとして記録することにより、採取容器に収容しているサンプルが、採取すべき場所においてのみ採取されたものであることを暫定的に保証することが可能になる。採取容器に収容されているサンプルについての信頼性は高まる。検査会社は、ログデータに基づいて受け取ったサンプルが正しいものであると判断したうえで、サンプルを検査して評価することができる。
【図面の簡単な説明】
【００２２】
【図１】図１は、採取容器を用いたサンプルの採取から評価までの作業の流れの一例を示す説明図である。
【図２】図２は、本考案の実施形態に係る採取容器の説明図である。
【図３】図３は、図２の採取容器に内蔵される電気回路の説明図である。
【図４】図４は、図３のマイクロコンピュータのＣＰＵにより実行されるログデータの記録処理のフローチャートである。
【図５】図５は、図３の不揮発性メモリに記録されるログデータの一例の説明図である。
【図６】図６は、図３の不揮発性メモリに記録される他の形式のログデータの説明図である。
【考案を実施するための形態】
【００２３】
以下、本考案の一例の実施形態を、図面に基づいて説明する。
【００２４】
土壌、水質、空気、ガスなどの成分やそれらの汚染を検査する場合、採取容器１が用いられる。
検査会社の作業者は、採取容器１を用いたサンプルの採取のために、本来的には自ら採取容器１を採取現場へ持ち込み、サンプルを採取容器１に入れて会社へ持ち帰る。しかしながら、検査会社の作業者が、すべての採取現場へ行くことは現実的ではない。たとえば海外などの遠隔地へ検査会社の人が行く場合、その旅費も高くなる。そこで、土壌、水質、空気、ガスなどの成分やそれらの汚染を検査する場合、採取容器１のみを現地へ送り、現地の人に採取してもらうことが考えられる。
【００２５】
図１は、採取容器１を用いたサンプルの採取から評価までの作業の流れの一例を示す説明図である。
【００２６】
図１の例では、まず、検査会社は、未使用の採取容器１を発送する（ステップＳＴ１）。現地の人は、採取容器１を受け取ると、サンプルを採取する（ステップＳＴ２）。現地の人は、たとえば採取容器１を開いて（ステップＳＴ１１）、採取容器１をサンプル回収装置に装着して採取容器１にサンプルを入れる（ステップＳＴ１２）。その後、採取容器１を閉じ（ステップＳＴ１３）、サンプルを収容した採取容器１を返送する（ステップＳＴ３）。サンプルを収容した採取容器１を受け取ると、検査会社の作業者は、採取容器１からサンプルを取り出して検査する（ステップＳＴ４）。検査が完了すると、検査会社の作業者は、検査結果を発送する（ステップＳＴ５）。
この一連の作業により、検査会社は、その作業者がサンプルを採取する現地へ行くことなく、サンプルを回収して検査することができる。
【００２７】
しかしながら、このように採取容器１のみを現地へ発送する場合、そのサンプルの信頼性が確保されない可能性がある。検査会社の人であれば、採取容器１を用いたサンプルの採取について熟知しており、しかもサンプルを採取するための正しい手順を熟知している。また、採取の前後において採取容器１を開かないようにして、サンプルに他の成分が混ざらないように採取容器１を正しく取り扱うことができる。これに対し、現地の人は、サンプルの採取に不慣れである。たとえば適切な地点においてサンプルを採取しなかったり、サンプルの採取の前後において採取容器１を開けて他の成分をサンプルに混入させたり、してしまう可能性がある。このようなサンプルを送ってもらっても、検査会社は、サンプルを正しく評価することができない。サンプルが採取場所において正しく採取されたものであることが保証されないために、確定的な判断をすることが難しい。このように採取容器１のみで現地へ発送される採取容器１では、収容しているサンプルについての信頼性を高めることが求められている。
【００２８】
図２は、本考案の実施形態に係る採取容器１の説明図である。
図２の採取容器１は、円筒のボトル形状の容器本体２と、容器本体２の開口３を塞ぐ外蓋部材４と、外蓋部材４と容器本体２との間に挟み込まれる中蓋部材１１と、を有する。
容器本体２の開口３の周囲には不図示のねじ構造が形成される。
【００２９】
外蓋部材４は、容器本体２と略同径の略円筒形状を有する。略円筒形状の外蓋部材４の下部には、円筒凹部５が形成される。円筒凹部５の内周面は、ねじ構造とされる。外蓋部材４のねじ構造は、容器本体２のねじ構造と螺合する。これにより、外蓋部材４は、容器本体２の開口３を塞いで容器本体２を密閉する。
【００３０】
中蓋部材１１は、外蓋部材４の円筒凹部５と略同径に形成された略円板形状を有する。外蓋部材４により容器本体２の開口３を塞ぐように閉じている状態において、略円板形状の中蓋部材１１は、その外周縁部分が容器本体２の開口３の周縁部と外蓋部材４との間に全周的に挟み込まれる。また、外周縁部分が挟み込まれた状態において、中蓋部材１１は、外蓋部材４についての円筒凹部５による内面と密着し得る。
【００３１】
これにより、容器本体２は、高い密閉状態となる。容器本体２に収容されているサンプルが開口３から漏れ出したり、採取容器１の外気が開口３から侵入したりし難くなる。容器本体２に外蓋部材４を取り付けることにより、容器本体２に収容されているサンプルを密閉して収容できる。採取容器１は、移動中などにおいてサンプルが漏れたり、他の成分が混入したりしないように高い密閉性でサンプルを収容できる。
【００３２】
図３は、図２の採取容器１に内蔵される電気回路２０の説明図である。
【００３３】
図３の採取容器１の電気回路２０は、図２の略円筒形状の外蓋部材４の上部に形成されるスペース６に収容される。外蓋部材４のスペース６と円筒凹部５との間の仕切板部７には、一対の貫通孔が形成される。一対の貫通孔のそれぞれには、孔方向へ可動可能な第一軸部材９または第二軸部材１０が挿入される。
図３の採取容器１の電気回路２０は、マイクロコンピュータ２１、不揮発性メモリ２７、ＧＰＳ受信ユニット２９、外部接続ユニットとしての外部Ｉ／Ｆユニット３０、外部接続ユニットとしての無線通信ユニット３１、および、これらが接続されるシステムバス３２、を有する。また、マイクロコンピュータ２１には、第一センサとしての開検出スイッチ３３、起動回路としてのリセット回路３４、第二センサとしての閉検出スイッチ３５、が接続される。これらの採取容器１の電気回路２０の各部は、電源ユニット３６に接続され、電源ユニット３６から供給される電力により動作する。電源ユニット３６からＧＰＳ受信ユニット２９への電力供給経路に、作動ランプ３７が設けられる。
【００３４】
電源ユニット３６は、たとえば電池ボックスである。電池ボックスには蓄電池が収容される。この場合、電源ユニット３６は、蓄電池の有限の電力を、採取容器１の電気回路２０の各部へ供給する。
【００３５】
開検出スイッチ３３は、可動片の位置に応じてオン状態とオフ状態との間で切り替わる機械式のスイッチである。開検出スイッチ３３の可動片は、第一軸部材９と連動して位置を変化させる。そして、たとえば第一軸部材９が外蓋部材４の円筒凹部５へ突出している場合、開検出スイッチ３３は、オン状態となる。第一軸部材９が外蓋部材４の円筒凹部５へ突出していない場合、開検出スイッチ３３は、オフ状態となる。したがって、外蓋部材４を容器本体２から外して開くと、図２に示すように中蓋部材１１から外蓋部材４から離れ、第一軸部材９が外蓋部材４の円筒凹部５へ突出するように進出可動し、開検出スイッチ３３は、オフ状態からオン状態に切り替わる。また、外蓋部材４を容器本体２に取り付けて閉じると、中蓋部材１１から外蓋部材４に密着し、第一軸部材９が外蓋部材４の円筒凹部５へ突出しないように後退可動し、開検出スイッチ３３は、オン状態からオフ状態に切り替わる。開検出スイッチ３３は、外蓋部材４の内面への中蓋部材１１の密着状態に応じて、容器本体２の開閉状態として開状態を検出できる。
【００３６】
リセット回路３４は、開検出スイッチ３３とマイクロコンピュータ２１との間に接続される。リセット回路３４は、開検出スイッチ３３がオフ状態からオン状態に切り替わると、そのオフ状態からオン状態への信号の立ち上がりタイミングに基づくリセット信号を、マイクロコンピュータ２１へ出力する。リセット回路３４は、開検出スイッチ３３により容器本体２の開閉が検出される度に、リセット信号をマイクロコンピュータ２１へ出力する。リセット信号が入力されると、マイクロコンピュータ２１は起動または再起動する。
【００３７】
閉検出スイッチ３５は、可動片の位置に応じてオン状態とオフ状態との間で切り替わる機械式のスイッチである。閉検出スイッチ３５の可動片は、第二軸部材１０と連動して位置を変化させる。そして、たとえば第二軸部材１０が外蓋部材４の円筒凹部５へ突出している場合、閉検出スイッチ３５は、オン状態となる。第二軸部材１０が外蓋部材４の円筒凹部５へ突出していない場合、閉検出スイッチ３５は、オフ状態となる。したがって、外蓋部材４を容器本体２から外して開くと、図２に示すように中蓋部材１１から外蓋部材４から離れ、第二軸部材１０が外蓋部材４の円筒凹部５へ突出するように進出可動し、閉検出スイッチ３５は、オフ状態からオン状態に切り替わる。また、外蓋部材４を容器本体２に取り付けて閉じると、中蓋部材１１から外蓋部材４に密着し、第二軸部材１０が外蓋部材４の円筒凹部５へ突出しないように後退可動し、閉検出スイッチ３５は、オン状態からオフ状態に切り替わる。閉検出スイッチ３５は、外蓋部材４の内面への中蓋部材１１の密着状態に応じて、容器本体２の開閉状態として閉状態を検出できる。
【００３８】
ＧＰＳ受信ユニット２９は、マイクロコンピュータ２１の制御により電源ユニット３６から電力が供給される。電源ユニット３６から電力が供給されている場合、ＧＰＳ受信ユニット２９は、動作する。動作するＧＰＳ受信ユニット２９は、ＧＰＳ衛星からの位置情報および時刻情報を含む信号波を受信する。複数のＧＰＳ衛星から信号波を受信すると、ＧＰＳ受信ユニット２９は、自身が存在する現在位置とその現在位置の時刻である現在時刻を生成する。
【００３９】
作動ランプ３７は、電源ユニット３６からＧＰＳ受信ユニット２９への電力供給経路に設けられる。これにより、作動ランプ３７は、ＧＰＳ受信ユニット２９が作動する期間において点灯し、ＧＰＳ受信ユニット２９が停止する期間において消灯する。作動ランプ３７は、採取容器１の電気回路２０のハードウェアおよびソフトウェアが正常に動作している場合には点灯でき、ＧＰＳ受信ユニット２９が作動できないように異常が生じている場合には消灯する。このように作動ランプ３７は、採取容器１の電気回路２０の動作状態を表示できる。
なお、作動ランプ３７は、ＧＰＳ受信ユニット２９がＧＰＳ信号を受信している場合に点滅してよい。
【００４０】
外部Ｉ／Ｆユニット３０には、外部機器としての不図示のコンピュータ装置との通信ケーブルが接続される。外部Ｉ／Ｆユニット３０は、有線通信により、コンピュータ装置との間で通信データを送受する。
【００４１】
無線通信ユニット３１は、無線通信により、コンピュータ装置との間で通信データを送受する。
【００４２】
不揮発性メモリ２７は、電力が供給されない状態においても記録されたデータを保持可能な半導体メモリである。不揮発性メモリ２７は、たとえばハードディスドライブなどでもよい。ただし、低消費電力や小型化の観点から、現時点では半導体メモリが最適である。不揮発性メモリ２７は、採取容器１の電気回路２０から取り外し可能に装着されてよい。
不揮発性メモリ２７は、採取容器１の開閉に関するログデータ２８を記録して保持する。不揮発性メモリ２７は、採取容器１についての少なくとも２回の開閉に関するログデータ２８を記録できる容量を有する。これにより、不揮発性メモリ２７は、電力が供給されない状態においても、マイクロコンピュータ２１が取得した現在時刻および現在位置の情報を複数回分で蓄積して保持することができる。
【００４３】
ログデータ２８は、後述する図５に示すように、たとえば採取容器１の開閉ごとに記録される複数のレコードを有する。レコードには、たとえば、採取容器１の開閉状態（Ｓｔａｔｅ）、日付（Ｄａｔｅ）、時刻（Ｔｉｍｅ）、緯度（Ｌａｔｉｔｕｄｅ）、経度（Ｌｏｎｇｉｔｕｄｅ）、その他の補足的な位置情報（ＡＳＬ，Ｓａｔｅｌｉｔｅｓ，ＨＤＯＰ）、電源ユニット３６の出力電圧（Ｐｏｗｅｒ）、などの情報を記録してよい。
【００４４】
マイクロコンピュータ２１は、ＣＰＵ２２、内部メモリ２３、内部タイマ２４、Ｉ／Ｏポート２５、および、これらを接続する内部バス２６、を有する。
【００４５】
Ｉ／Ｏポート２５には、システムバス３２が接続される。Ｉ／Ｏポート２５には、開検出スイッチ３３、リセット回路３４、開検出スイッチ３３、作動ランプ３７などが接続されてよい。
【００４６】
内部タイマ２４は、時刻、時間を計測する。
【００４７】
内部メモリ２３は、プログラムおよびテータを記録する。
【００４８】
ＣＰＵ２２は、内部メモリ２３からプログラムを読み込んで実行する。これにより、マイクロコンピュータ２１には、採取容器１の電気回路２０の制御部が実現される。
【００４９】
図４は、図３のマイクロコンピュータ２１のＣＰＵ２２により実行されるログデータ２８の記録処理のフローチャートである。
【００５０】
採取者が採取容器１の外蓋部材４を回して開くと、図２に示すように中蓋部材１１から外蓋部材４から離れ、外蓋部材４に設けられる第一軸部材９および第二軸部材１０は、外蓋部材４の円筒凹部５へ突出する。これにより、開検出スイッチ３３および閉検出スイッチ３５は、オフ状態からオン状態となる。リセット回路３４は、マイクロコンピュータ２１へリセット信号を出力する。制御部としてのＣＰＵ２２は、たとえば、開検出スイッチ３３により容器本体２の開閉が検出される度に生成されるリセット信号により、図４の記録処理を繰り返し実行できる。ＣＰＵ２２は、図４の記録処理を実行する度に、容器本体２が開閉された際の現在時刻および現在位置の情報を繰り返し取得して、不揮発性メモリ２７にログデータ２８として記録することができる。
【００５１】
ステップＳＴ３１において、ＣＰＵ２２は、マイクロコンピュータ２１へのリセット信号の入力に基づいて、マイクロコンピュータ２１をリセットした時の起動処理を実行する。ＣＰＵ２２は、開検出スイッチ３３により容器本体２の開閉が検出されると、リセット回路３４により起動されて、開状態検出時の起動処理を実行する。これにより、ＣＰＵ２２は、記録処理を実行することができる状態になる。
【００５２】
ステップＳＴ３２において、ＣＰＵ２２は、まず、ＧＰＳ受信ユニット２９を起動する。これにより、ＧＰＳ受信ユニット２９は、信号波の受信を開始する。ＧＰＳ受信ユニット２９は、複数のＧＰＳ衛星から信号波を受信すると、自身が存在する現在位置とその現在位置の時刻である現在時刻を生成する。また、ＣＰＵ２２によりＧＰＳ受信ユニット２９が起動されることにより、電源ユニット３６からＧＰＳ受信ユニット２９への電力供給経路に設けられる作動ランプ３７は、点灯する。また、動作を開始したＧＰＳ受信ユニット２９がＧＰＳ信号を受信している場合、作動ランプ３７は点滅してよい。
【００５３】
ステップＳＴ３３において、ＣＰＵ２２は、リセット回路３４により起動されてから予め定められた所定の待機時間が経過したか否かを判断する。ＣＰＵ２２は、たとえばＧＰＳ受信ユニット２９から現在位置および現在時刻を取得し、起動後に所定の待機時間が経過したか否かを判断する。この他にもたとえば、ＣＰＵ２２は、それとともに起動している内部タイマ２４の起動からの経過時間を取得して、起動後に所定の待機時間が経過したか否かを判断してよい。ここでは、待機時間は、たとえば３秒としている。所定の待機時間が経過していない場合、ＣＰＵ２２は、ステップＳＴ３３の処理を繰り返す。そして、所定の待機時間が経過すると、ＣＰＵ２２は、処理をステップＳＴ３４へ進める。
なお、ＣＰＵ２２は、所定の待機時間が経過する前に、たとえば開いてから０．５秒以内に採取容器１の外塞部材が閉じられて、中蓋部材１１により第二軸部材１０が押し込まれて後退し、閉検出スイッチ３５がオン状態からオフ状態に切り替わると、図４の処理を直ちに終了してもよい。この場合、作動ランプ３７は消灯する。
【００５４】
ステップＳＴ３４において、ＣＰＵ２２は、現在時刻を取得する。ＣＰＵ２２は、起動させたＧＰＳ受信ユニット２９から、現在時刻を取得してよい。そして、ＣＰＵ２２は、取得した現在時刻を、採取容器１が開状態にあることを示すステータス情報とともに、不揮発性メモリ２７のログデータ２８に記録する。これにより、不揮発性メモリ２７のログデータ２８には、開検出スイッチ３３による蓋部材の開の検出に基づく現在時刻が追加記録される。また、ＣＰＵ２２は、電源ユニット３６からマイクロコンピュータ２１へ供給されている電源電圧を取得し、現在時刻とともに不揮発性メモリ２７のログデータ２８に記録してよい。
【００５５】
ステップＳＴ３５において、ＣＰＵ２２は、採取容器１の閉状態を判断する。採取容器１の外塞部材が閉じられて、中蓋部材１１により第二軸部材１０が押し込まれて後退すると、閉検出スイッチ３５は、オン状態からオフ状態に切り替わり、採取容器１の閉状態を検出する。ＣＰＵ２２は、閉検出スイッチ３５が容器本体２の閉状態を検出しているか否かを判断する。閉検出スイッチ３５が容器本体２の閉状態を検出している場合、ＣＰＵ２２は、処理をステップＳＴ３８へ進める。閉検出スイッチ３５が容器本体２の閉状態を検出していない場合、すなわち採取容器１が開いたままである場合、ＣＰＵ２２は、処理をステップＳＴ３６へ進める。
【００５６】
ステップＳＴ３６において、ＣＰＵ２２は、ＧＰＳ受信ユニット２９から、最初の位置情報をすでに取得したか否かを判断する。最初の位置情報を取得している場合、ＣＰＵ２２は、処理をステップＳＴ４１へ進める。最初の位置情報を取得していない場合、ＣＰＵ２２は、処理をステップＳＴ３７へ進める。ステップＳＴ３７の処理の前に、本ステップＳＴ３６を設けることにより、ＣＰＵ２２は、最初容器が開かれて起動した場合において、現在時刻および現在位置の情報を１回だけ不揮発性メモリ２７に記録することになる。ＣＰＵ２２は、容器本体２の１回の開閉において、現在時刻および現在位置の情報を１回だけ不揮発性メモリ２７に記録することになる。
【００５７】
ステップＳＴ３７において、ＣＰＵ２２は、ＧＰＳ受信ユニット２９から位置情報としての現在位置および現在時刻を取得し、取得した現在位置および現在時刻を不揮発性メモリ２７のログデータ２８に記録する。これにより、不揮発性メモリ２７のログデータ２８には、採取容器１が開かれている現在位置および現在時刻としての、日付（Ｄａｔｅ）、時刻（Ｔｉｍｅ）、緯度（Ｌａｔｉｔｕｄｅ）、および経度（Ｌｏｎｇｉｔｕｄｅ）が追加記録される。また、ＣＰＵ２２は、補足的な位置情報を併せて記録してよい。また、ＣＰＵ２２は、ＧＰＳ受信ユニット２９により複数の位置情報、たとえば１０個の位置情報を取得させ、その平均値を、現在位置および現在時刻として不揮発性メモリ２７のログデータ２８に記録してよい。その後、ＣＰＵ２２は、処理をステップＳＴ４０へ進める。
【００５８】
ステップＳＴ３８において、ＣＰＵ２２は、ステップＳＴ３７によるＧＰＳログの位置記録処理をすでに完了しているか否かを判断する。ＧＰＳ受信ユニット２９が現在位置の情報を生成し終える前に採取容器１が閉じられる場合、ステップＳＴ３７の記録処理を実行する前に、ステップＳＴ３５において採取容器１が閉状態にあると判断されることがある。この場合、ステップＳＴ３７によるＧＰＳログの位置記録処理が実行されていないため、ＣＰＵ２２は、処理をステップＳＴ３６へ進める。すでにステップＳＴ３７による位置記録処理の実行が完了している場合、ＣＰＵ２２は、処理をステップＳＴ３９へ進める。
【００５９】
ステップＳＴ３９において、ＣＰＵ２２は、現在時刻を取得する。ＣＰＵ２２は、起動させたＧＰＳ受信ユニット２９から、現在時刻を取得してよい。そして、ＣＰＵ２２は、取得した現在時刻を、採取容器１が閉状態にあることを示すステータス情報とともに、不揮発性メモリ２７のログデータ２８に記録する。これにより、不揮発性メモリ２７のログデータ２８には、閉検出スイッチ３５による蓋部材の閉の検出に基づく現在時刻が追加記録される。
【００６０】
ステップＳＴ４０において、ＣＰＵ２２は、マイクロコンピュータ２１などの動作を休止させるスリープ処理を実行する。スリープ処理において、ＣＰＵ２２は、ＧＰＳ受信ユニット２９を停止する。作動ランプ３７は消灯する。また、スリープ処理において、ＣＰＵ２２は、マイクロコンピュータ２１を、現在時刻および現在位置の情報の取得および記録を実行しない休止状態にする。これにより、マイクロコンピュータ２１やＧＰＳ受信ユニット２９による電力消費が格段に削減される。電源ユニット３６の電力は、休止中のマイクロコンピュータ２１やＧＰＳ受信ユニット２９により略消費されなくなる。その後、ＣＰＵ２２は、図４の記録処理を終了する。
【００６１】
ステップＳＴ４１において、ＣＰＵ２２は、マイクロコンピュータ２１が所定の放置時間以上において起動しているか否かを判断する。マイクロコンピュータ２１の起動時間が放置時間以上である場合、ＣＰＵ２２は、処理をステップＳＴ４０へ進める。ステップＳＴ４０において、ＣＰＵ２２は、マイクロコンピュータ２１などをスリープ状態に休止させる。これにより、採取容器１が開いた状態で放置されて、採取容器１の内部が外気などにより汚染されてしまった可能性が高い場合には、ステップＳＴ３９の閉時刻のログ記録を実行することなく、マイクロコンピュータ２１などは休止状態となる。
【００６２】
これに対し、マイクロコンピュータ２１の起動時間が放置時間以上でない場合、ＣＰＵ２２は、処理をステップＳＴ３５へ戻す。ＣＰＵ２２は、マイクロコンピュータ２１の起動時間が放置時間以上となるまで、ステップＳＴ３５、ステップＳＴ３６、およびステップＳＴ４１のループ処理を実行する。その間に、ＧＰＳ受信ユニット２９から最初の位置情報を取得すると、ＣＰＵ２２は、ステップＳＴ３７の処理により、採取容器１を開いている現在時刻および現在位置を１回だけ不揮発性メモリ２７に記録する。また、採取容器１が閉じられると、ＣＰＵ２２は、ステップＳＴ３８からＳＴ４０の処理により、採取容器１を閉じた時刻をログデータ２８に記録して休止状態となる。
【００６３】
図５は、図３の不揮発性メモリ２７に記録されるログデータ２８の一例の説明図である。
【００６４】
図５のログデータ２８において、各行は、各レコードに相当する。各行のレコードには、たとえば、採取容器１の開閉状態（Ｓｔａｔｅ）、日付（Ｄａｔｅ）、時刻（Ｔｉｍｅ）、緯度（Ｌａｔｉｔｕｄｅ）、経度（Ｌｏｎｇｉｔｕｄｅ）、その他の補足的な位置情報（ＡＳＬ，Ｓａｔｅｌｉｔｅｓ，ＨＤＯＰ）、電源ユニット３６の出力電圧（Ｐｏｗｅｒ）、などの情報を記録できる。図５のログデータ２８は、不揮発性メモリ２７において、１つのログデータ２８のファイルとして記録されてよい。
【００６５】
図５のログデータ２８の第一行のレコードは、採取容器１の１回目の開閉についての開検出ログである。開検出ログは、採取容器１の開閉状態の値（ｏｐｅｎ）、日付および時刻による現在時刻の値、電源ユニット３６の出力電圧の値（４．９７）、を有する。
【００６６】
第二行のレコードは、採取容器１の１回目の開閉についての閉検出ログである。閉検出ログは、採取容器１の開閉状態の値（ｃｌｏｓｅ）、日付および時刻による現在時刻の値、を有する。
【００６７】
第三行のレコードは、採取容器１の１回目の開閉についての位置検出ログである。位置検出ログは、採取容器１の開閉状態の値（ｌｏｃａｔｉｏｎ）、日付および時刻による現在時刻の値、緯度および経度による現在位置の値、その他の補足的な位置情報の値、を有する。
【００６８】
第四行のレコードは、採取容器１の２回目の開閉についての開検出ログである。開検出ログは、採取容器１の開閉状態の値（ｏｐｅｎ）、日付および時刻による現在時刻の値、電源ユニット３６の出力電圧の値（４．８６）、を有する。
【００６９】
第五行のレコードは、採取容器１の２回目の開閉についての位置検出ログである。位置検出ログは、採取容器１の開閉状態の値（ｌｏｃａｔｉｏｎ）、日付および時刻による現在時刻の値、緯度および経度による現在位置の値、その他の補足的な位置情報の値、を有する。
【００７０】
第六行のレコードは、採取容器１の２回目の開閉についての閉検出ログである。閉検出ログは、採取容器１の開閉状態の値（ｃｌｏｓｅ）、日付および時刻による現在時刻の値、を有する。
【００７１】
そして、１回目の開閉ログは、ログデータ２８において開検出ログ、閉検出ログ、位置検出ログ、がその順番で記録される。これに対し、２回目の開閉ログは、ログデータ２８において開検出ログ、位置検出ログ、閉検出ログ、がその順番で記録される。この場合、採取容器１は複数回で開閉されている。検査会社は、採取容器１に収容されるサンプルが、第三行の位置検出ログにおいて採取されたものであるのか、または第五行の位置検出ログにおいて採取されたものであるのかを判別する必要がある。
【００７２】
また、図５の不揮発性メモリ２７に記録されるログデータ２８は、検査会社において、外部Ｉ／Ｆユニット３０または無線通信ユニット３１を通じて、これらと通信可能な検査会社のコンピュータ装置へ送信される。外部Ｉ／Ｆユニット３０または無線通信ユニット３１は、不揮発性メモリ２７に蓄積して記録されているログデータ２８を、１つのログファイルとしてまとめて外部機器としてのコンピュータ装置へ出力する。コンピュータ装置は、ログデータ２８の位置を、その緯度経度に基づいて地図画面に割り当てて重ねて表示してもよい。
検査会社のコンピュータ装置は、図１に示すように、採取容器１からログデータ２８を取得し（ステップＳＴ２１）、ログデータ２８に複数回分のログが記録されているか否かを判断する（ステップＳＴ２２）。ログデータ２８に１回分のログしか記録されていない場合、コンピュータ装置は、サンプルが合格であると判断し（ステップＳＴ２３）、サンプル検査を実行し（ステップＳＴ２４）、サンプルの実際の検査結果を出力する（ステップＳＴ２５）。
これに対し、ログデータ２８に図５のように複数回分のログが記録されている場合、コンピュータ装置は、採取容器１からログデータ２８を取得した後、そのログデータ２８に基づいてログが正常であるか否かを判断する（ステップＳＴ２６）。サンプルが適切な場所で採取されたものでない場合、採取容器１に収容されているサンプルに対して他の成分が混入する可能性が高いような開閉がなされたと評価できる場合、コンピュータ装置は、サンプルを検査することなく不合格と判断し（ステップＳＴ２７）、不合格の判定結果を出力する（ステップＳＴ２５）。採取容器１に収容されているサンプルに影響を与えないと評価できる開閉である場合、コンピュータ装置は、サンプルが合格であると判断し（ステップＳＴ２３）、サンプル検査を実行し（ステップＳＴ２４）、サンプルの実際の検査結果を出力する（ステップＳＴ２５）。
このように、採取容器１の開閉について、そのすべての開閉をログデータ２８として記録することにより、サンプルの評価者は、採取容器１に収容されているサンプルが、所定の地点で採取されたサンプルだけであるか否かについて、後から評価することができる。
【００７３】
以上のように、本考案に係る容器本体２に外蓋部材４をしてサンプルを密閉して収容可能な採取容器１は、外蓋部材４の開および閉の少なくとも一方を検出する開検出スイッチ３３と、開検出スイッチ３３により容器本体２の開または閉が検出されると、現在時刻および現在位置の情報を取得して記録するＣＰＵ２２と、ＣＰＵ２２が取得した現在時刻および現在位置の情報を複数回分で蓄積して記録可能な不揮発性メモリ２７と、を有する。
よって、採取容器１は、サンプルを収容するために外蓋部材４が開閉されると、それに基づいて自ら自動的に、現在時刻および現在位置の情報を取得して不揮発性メモリ２７に記録する。したがって、採取容器１のサンプルを検査する検査会社は、不揮発性メモリ２７に記録されている開閉のログデータ２８に基づいて、サンプルを採取すべき場所において採取容器１が開閉されていることを判断することができる。
【００７４】
しかも、不揮発性メモリ２７には、外蓋部材４が開閉される度に、開閉されたタイミングを示す新たな現在時刻および現在位置の情報が蓄積して記録される。外蓋部材４が複数回で開閉された場合には、不揮発性メモリ２７には、複数回分の開閉のログデータ２８が記録される。検査会社は、たとえば採取すべき地点ではない場所において採取容器１が開閉されたこと、複数回の開閉がなされたことを、ログデータ２８から判断することができる。
【００７５】
特に、ＣＰＵ２２は、容器本体２の１回の開閉において、現在時刻および現在位置の情報を１回だけ不揮発性メモリ２７に記録する、とよい。これにより、ログデータ２８に複数の現在位置の情報が含まれている場合、その複数の現在位置が、別々の複数回の開閉によるものであることを確定的に判別することができる。
【００７６】
このように採取容器１は、その複数回分の開閉を不揮発性メモリ２７にログデータ２８として記録可能とすることにより、採取容器１に収容しているサンプルが、採取すべき場所においてのみ採取されたものであることを保証することが可能になる。採取容器１に収容されているサンプルについての信頼性は高まる。検査会社は、受け取ったサンプルが正しいものであると判断したうえで、サンプルを検査して評価することができる。
しかも、本実施形態では、ＣＰＵ２２は、さらに、開検出スイッチ３３による外蓋部材４の開の検出に基づく現在時刻を、不揮発性メモリ２７に記録し、閉検出スイッチ３５による外蓋部材４の閉の検出に基づく現在時刻を、不揮発性メモリ２７に記録する。これにより、正しく開閉がなされた場合には、サンプルを採取した現在時刻および現在位置の情報とともに、開時刻および閉時刻が併せて記録される。これに対して、開検出スイッチ３３が外蓋部材４の開を検出してから、予め定められた放置期間が経過すると、ＣＰＵ２２は、閉検出スイッチ３５による外蓋部材４の閉の検出に基づく現在時刻を不揮発性メモリ２７に記録することなく、休止状態になる。その結果、たとえば外蓋部材４がサンプルに採取するために必要と考えられる時間を超えて放置されて、その放置の間に他の成分が混入してしまうおそれがないことを、開時刻と閉時刻とにより確認して判断することができる。
【００７７】
本実施形態では、ＣＰＵ２２は、自らが起動したら直ちにＧＰＳ受信ユニット２９を起動して情報を取得するのではなく、リセット回路３４により起動されてから予め定められた時間が経過すると、ＧＰＳ受信ユニット２９から情報を取得する。これにより、意図しない開閉があったとしても、それをログデータ２８に記録しないようにできる。
【００７８】
本実施形態では、ＣＰＵ２２は、閉検出スイッチ３５により外蓋部材４の閉が検出されるタイミングにおいて、現在時刻および現在位置の情報を取得して記録する位置記録処理を実行していない場合、位置記録処理を実行してから、休止状態になる。これにより、短い時間で外蓋部材４が閉じられたとしても、その開閉についてのログデータ２８を記録することができる。所定の開閉があれば、その開閉のログを記録することができる。
【００７９】
本実施形態では、電源ユニット３６は、たとえば開検出スイッチ３３、ＣＰＵ２２、不揮発性メモリ２７といった制御回路へ電力を供給する。また、リセット回路３４は、開検出スイッチ３３により容器本体２の開閉が検出される度にＣＰＵ２２を起動する。そして、ＣＰＵ２２は、リセット回路３４により起動される度に、現在時刻および現在位置の情報を取得して不揮発性メモリ２７に記録する。これにより、電源ユニット３６は、基本的に外蓋部材４が開閉される場合にのみ制御回路へ電力を供給すればよい。本実施形態では、外蓋部材４が開閉されればＣＰＵ２２を起動してログデータ２８を更新記録できるようにしつつ、外蓋部材４が開閉されていない状況においてはＣＰＵ２２を休止させて制御回路による電力消費を抑えることができる。乾電池程度の蓄電能力の電源ユニット３６により、外蓋部材４の開閉に応じて制御回路を動作させてログデータ２８を適切に記録させることができる。採取容器１を海外へ送ったとしても、その海外において外蓋部材４の開閉に応じて制御回路を動作させてログデータ２８を適切に記録させることができる。
しかも、本実施形態では、電源ユニット３６から電力が供給されることにより動作して、信号波を受信することにより現在時刻および現在位置の情報を取得または生成するＧＰＳ受信ユニット２９は、ＣＰＵ２２により起動される。したがって、ＧＰＳ受信ユニット２９の起動休止を、ＣＰＵ２２の起動休止に従属させることができる。ＧＰＳ受信ユニット２９が動作し続けることによる電力消費についても効果的に抑えることができる。
【００８０】
特に、本実施形態では、開検出スイッチ３３は、外蓋部材４の開を検出し、この開検出スイッチ３３とは別に、電源ユニット３６から電力が供給され、外蓋部材４の閉を検出する閉検出スイッチ３５、を有する。そして、ＣＰＵ２２は、閉検出スイッチ３５により外蓋部材４の閉が検出されると、現在時刻および現在位置の情報の取得および記録を実行しない休止状態になる。これにより、たとえば現在時刻および現在位置の情報の取得および記録を実行した後に外蓋部材４が閉じられると、直ちにＣＰＵ２２を休止状態にできる。ログデータ２８の記録に必要な最小限の期間においてのみＣＰＵ２２を動作させるようにすることができる。仮にたとえば起動後の一定期間においてＣＰＵ２２を起動状態に維持する場合と比べて、ＣＰＵ２２の起動期間を必要最小限にできる。乾電池程度の蓄電能力の電源ユニット３６を用いたとしても、二回程度の複数回の外蓋部材４の開閉において電力が不足してログデータ２８を適切に記録できなくなるようなことは起きにくい。
【００８１】
また、本実施形態では、ログデータ２８を記録して保持するメモリは、電力が供給されない状態においても記録された複数回分の現在時刻および現在位置の情報を保持可能な不揮発性メモリ２７である。これにより、開閉のログデータ２８を記録した後に、電源ユニット３６の電力が不足するようになったとしても、すでに記録したログデータ２８が消失しないようにできる。
【００８２】
本実施形態では、容器本体２は、開口３を有する円筒形のボトルであり、外蓋部材４は、容器本体２の開口３を塞ぐ外蓋部材４と、閉じた状態において外蓋部材４の内側に密着するように外蓋部材４と容器本体２との間に挟み込まれる中蓋部材１１と、を有する。そして、開検出スイッチ３３は、外蓋部材４の内側についての中蓋部材１１の密着状態により、容器本体２の開を検出する。また、閉検出スイッチ３５は、外蓋部材４の内側についての中蓋部材１１の密着状態により、容器本体２の閉を検出する。これにより、外蓋部材４に開検出スイッチ３３および閉検出スイッチ３５を設けていて、外蓋部材４に孔が開いていたとしても、中蓋部材１１により容器本体２の開口３を密閉するように塞ぐことができる。また、外蓋部材４に対する中蓋部材１１の密着状態に応じで、外蓋部材４の開閉を開検出スイッチ３３および閉検出スイッチ３５により正しく検出することができる。
【００８３】
以上の実施形態は、本考案の好適な実施形態の例であるが、本考案は、これに限定されるのもではなく、考案の要旨を逸脱しない範囲において種々の変形または変更が可能である。
【００８４】
たとえば、上記実施形態では、ＣＰＵ２２としてのＣＰＵ２２は、容器本体２の１回の開閉において、開いた時刻と、閉じた時刻と、開いた際の現在時刻および現在位置と、を１回ずつ不揮発性メモリ２７に記録する。
この他にもたとえば、ＣＰＵ２２は、容器本体２の１回の開閉において、開いた時刻と閉じた時刻との替わりに、開いている期間での現在時刻および現在位置を、複数回にわたって不揮発性メモリ２７に記録してよい。ただし、この場合、ログデータ２８に連続的に記録されている複数の位置情報が、１回の開閉によるものなのか、複数回の開閉によるものなのか判別がし難くなる可能性がある。
また、ＣＰＵ２２は、容器本体２の１回の開閉において、開いた際の現在時刻および現在位置を１回だけを不揮発性メモリ２７に記録してもよい。ただし、この場合、サンプルの採取に必要と考えられる時間だけで容器本体２が開かれていたのか判別できなくなる。
【００８５】
上記実施形態では、ＣＰＵ２２は、容器本体２の１回の開閉において、ＧＰＳ受信ユニット２９により生成された１つの現在位置を、位置情報としてログデータ２８に記録している。
この他にもたとえば、ＣＰＵ２２は、ログデータ２８に残す位置情報として、採取容器１を開いている期間で検出される複数の現在位置の平均的な位置を、位置情報としてログデータ２８に記録してよい。
また、受信ユニットが携帯電話網の基地局と通信して、基地局の位置情報と時刻情報を取得する場合、ＣＰＵ２２は、その基地局の位置情報を、位置情報としてログデータ２８に記録してよい。ただし、位置精度を向上するためには、受信ユニットが複数の基地局の位置情報を取得し、ＣＰＵ２２は、その複数の基地局の位置情報のたとえば平均的な位置を、位置情報としてログデータ２８に記録するとよい。
【００８６】
上記実施形態では、採取容器１の開閉を検出するために、機械式の開検出スイッチ３３と機械式の閉検出スイッチ３５とを用いている。
この他にもたとえば、採取容器１の開閉を検出するために、フォトセンサなどを用いてよい。ただし、フォトセンサは光学的に開閉を検出することになり、採取容器１の汚れなどの影響を受け易い。これに対して機械式の検出スイッチでは、外蓋部材４が開閉されていることを機械的に検出するため、採取容器１の汚れなどの影響を受け難いと考えられる。
また、採取容器１の開閉を検出するために、１つの検出スイッチまたは１つのフォトセンサを用いてよい。ＣＰＵ２２は、１つのセンサの開閉検出に基づいて、採取容器１の開状態への変化に応じた処理と、採取容器１の閉状態への変化に応じた処理と、を実行してよい。ただし、上記実施形態のようにリセット信号によりマイクロコンピュータ２１を起動する構成を採用する場合には、マイクロコンピュータ２１へリセット信号を入力するためのセンサの接続と、採取容器１の開閉状態を通知するセンサの接続とを、別々にマイクロコンピュータ２１に接続する必要がある。採取容器１を閉じたままの状態における消費電力を削減するためには、マイクロコンピュータ２１へリセット信号を入力することが望ましい。
【００８７】
上記実施形態において、電源ユニット３６は、蓄電電力を供給する蓄電池を収容する電池ボックスである。
この他にもたとえば、電源ユニット３６は、太陽光発電パネルなどの発電ユニットでよい。
また、電源ユニット３６は、発電ユニットと、発電ユニットにより充電可能な蓄電池を収容する電池ボックスとの組み合わせでもよい。
【００８８】
上記実施形態において、採取容器１は、容器本体２と、外蓋部材４と、中蓋部材１１と、を有する。
採取容器１の開口３を密閉するためだけであれば、採取容器１は、最低限の構成として、容器本体２と、外蓋部材４と、を有すればよい。
また、外蓋部材４は、容器本体２から取り外す着脱式のものではなく、容器本体２にたとえば軸支されて、開閉式のものであってもよい。
【００８９】
また、図３の不揮発性メモリに記録されるログデータは、図５の形式でなくてもよい。
図６は、図３の不揮発性メモリに記録される他の形式のログデータの説明図である。図６のログデータは、９回分の開閉記録が記録されている。各開閉記録は、図５のものと同様に、開いた時刻、位置情報、閉じた時刻、が基本的なセットとなっている。
【符号の説明】
【００９０】
１…採取容器
２…容器本体
３…開口
４…外蓋部材
５…円筒凹部
６…スペース
７…仕切板部
９…第一軸部材
１０…第二軸部材
１１…中蓋部材
２０…電気回路
２１…マイクロコンピュータ
２２…ＣＰＵ
２３…内部メモリ
２４…内部タイマ
２５…Ｉ／Ｏポート
２６…内部バス
２７…不揮発性メモリ
２８…ログデータ
２９…ＧＰＳ受信ユニット
３０…外部Ｉ／Ｆユニット
３１…無線通信ユニット
３２…システムバス
３３…開検出スイッチ
３４…リセット回路
３５…閉検出スイッチ
３６…電源ユニット
３７…作動ランプ
【図１】
0003223596.tif 000003
【図２】
0003223596.tif 000004
【図３】
0003223596.tif 000005
【図４】
0003223596.tif 000006
【図５】
0003223596.tif 000007
【図６】
0003223596.tif 000008